(57)【要約】  本発明は、正面枠（２）と、センサ（９）を備えたセンサ装置（６）とを有し、センサ（９）が画像再生装置（１）の表示部（７）に表示可能な画像の輝度および／または色度を検出するために設けられている画像再生装置（１）に関する。輝度を検出するために、センサ担体を備えた画像再生装置が知られている。センサ担体は、静止位置において、フラットスクリーンの枠体の凹部内に設けた、観察者には見えない領域に配置されている。センサ担体は適当な駆動手段により前記静止位置から輝度検出位置へ外側へ回動可能である。この種の画像再生装置の製造は煩雑である。また、前記駆動手段は故障しやすく、よって輝度の連続的な支障のない検出は不可能である。本発明はこのような欠点を解消する解決手段を提案する。
2009512261.tif 000002
【特許請求の範囲】
【請求項１】
正面枠（２）と、センサ（９）を備えたセンサ装置（６）とを有し、センサ（９）が画像再生装置（１）の表示部（７）に表示可能な画像の輝度および／または色度を検出するために設けられている画像再生装置において、センサ装置（６）および正面枠（２）がセンサ装置（６）を正面枠（２）に固定するための固定手段（３，４）を備え、固定手段（３，４）は、輝度を検出可能であるように正面枠（２）の１つの側面の複数の位置にセンサ装置（６）を固定することを可能にすることを特徴とする画像再生装置。
【請求項２】
固定手段（３，４）が磁性材料から成っていることを特徴とする請求項１に記載の画像再生装置。
【請求項３】
固定手段（３，４）が面ファスナーの形態または係止結合の形態で構成されていることを特徴とする請求項１に記載の画像再生装置。
【請求項４】
センサ装置（６）が、該センサ装置（６）を正面枠（２）に固定するための固定アーム（５）と、この固定アーム（５）に対して実質的に直角に配置されセンサ（９）を受容して保持するための受容部分（１０）とを有し、該受容部分（１０）が表示部（７）側に位置していることを特徴とする請求項１乃至３の１つに記載の画像再生装置。
【請求項５】
センサ（９）を周囲光から遮蔽するために、受容部分（１０）が密封手段（１１）を備えていることを特徴とする請求項４に記載の画像再生装置。
【発明の詳細な説明】
【技術分野】
【０００１】
本発明は、正面枠と、センサを備えたセンサ装置とを有し、センサが画像再生装置の表示部に表示可能な画像の輝度および／または色度を検出するために設けられている画像再生装置に関する。
【背景技術】
【０００２】
この種の画像再生装置は国際公開第２００５／０３６５１１号パンフレットから知られている。この画像再生装置では、輝度を検出するためにセンサ担体が設けられ、該センサ担体は、静止位置において、フラットスクリーンの枠体の凹部内に設けた、観察者には見えない領域に配置されている。センサ担体は適当な駆動手段により前記静止位置から輝度検出位置へ外側へ回動可能である。
【０００３】
この種の画像再生装置の製造は煩雑である。また、前記駆動手段は故障しやすく、よって輝度の連続的な支障のない検出は不可能である。さらに、予め設定可能な時間間隔でセンサ装置を適当な検査機関で校正する必要があり、このため特別な工具を用いてセンサ担体を取り外さねばならない。
【発明の開示】
【発明が解決しようとする課題】
【０００４】
本発明の課題は、上記欠点を解消した、冒頭で述べた種類の画像再生装置を提供することである。
【課題を解決するための手段】
【０００５】
この課題は、センサ装置および正面枠がセンサ装置を正面枠に固定するための固定手段を備え、固定手段は、輝度を検出可能であるように正面枠の１つの側面の複数の位置にセンサ装置を固定することを可能にすることによって解決される。
【０００６】
ユーザーがセンサ装置を正面枠のどこに取り付けるかを自由に選択できるので有利である。ユーザーは、画像再生装置で作業を行なっているときにユーザーの邪魔にならないような場所にセンサ装置を取り付けるのが好ましい。たとえば、画像再生装置の表示部にはグラフィックユーザインタフェースを表示させる必要があるために、画像再生装置の表示部の上部領域にしか情報が表示されないので、センサ装置を正面枠の左上方から左下方へ位置決めすることが必要な場合がある。センサ装置の簡単な取り付けおよび取り外しができるので、通常は例えば工場内でのセッティングまたは適当な検査機関で予め設定可能な時間間隔で行なわれるセンサ装置の新規校正が簡単になる。
【０００７】
さらに、固定手段は正面枠およびセンサ装置に簡単に取り付けられるので、輝度検出装置を備えていない画像再生装置にはこの種のセンサ装置を追装備させることができる。
【０００８】
本発明の他の構成では、固定手段は磁性材料から成っており、或いは、固定手段は面ファスナーの形態または係止結合の形態で構成されており、これによりセンサ装置の簡単な取り付けおよび取り外しが可能になる。
【０００９】
本発明の他の有利な構成は、他の従属項から明らかである。
【発明を実施するための最良の形態】
【００１０】
次に、本発明の１実施形態を図示した図面を用いて、本発明およびその構成並びに利点を詳細に説明する。
【００１１】
図１において、１は画像再生装置であり、その正面枠２には、磁性材料から成る固定条帯３が配置されている。磁性条帯３はたとえば正面枠２に接着されている、或いは、他の適当な方法で正面枠２に固定されている。正面枠２の磁性条帯３はセンサ装置６の固定アーム５の磁性条帯４と結合しており、これによりセンサ装置６を正面枠２の任意の個所に配置および固定することができる。ユーザーが画像再生装置１で作業を行なっている間にセンサ装置がユーザーの邪魔にならないような個所にユーザーがセンサ装置を取り付けるのが好ましい。たとえば、画像再生装置１に接続されたパーソナルコンピュータによって実施されるアプリケーションが、画像再生装置１の表示部７において、該表示部７の上部領域にのみ情報が表示され、他方表示部７の幅狭の下部領域８は使用されないようにすることができる。それ故、この場合には、幅狭領域８の輝度がセンサ装置６のセンサ９によって検出されるようにセンサ装置６を正面枠２に配置してもユーザーまたは観察者の邪魔にならない。他のアプリケーションに対しては、表示部７に表示される情報が遮蔽されないようにするために、センサ装置６を正面枠２上の他の個所に位置決めする必要がある。センサ装置６の受容部分１０は、センサ９を備え、固定アーム５に対して実質的に直角に配置されている。センサ装置６のこの受容部分１０は、周囲光が輝度の検出に悪影響を与えるのを阻止するために、リップパッキン１１を備えており、これによって周囲光はセンサ９によって遮蔽される。センサ装置６は、ここには図示していない有線または無線の通信インターフェースを介して、画像再生装置１またはパーソナルコンピュータまたはその他の制御コンピュータの測定評価ユニットに接続され、これによって、検出した輝度をたとえば画像再生装置の明度調整、コントラスト調整、照度調整、或いはその他の調整に関し処理することができる。
【図面の簡単な説明】
【００１２】
【図１】センサ装置を備えた画像再生装置を示した図
【図２】図１のＩＩ−ＩＩ線に沿った断面図
【符号の説明】
【００１３】
１  画像再生装置
２  正面枠
３  固定条帯
４  磁性条帯
５  固定アーム
６  センサ装置
７  表示部
８  表示部の幅狭領域
９  センサ
１０  受容部分
１１  リップパッキン
【図１】
2009512261.tif 000003
【図２】
2009512261.tif 000004
【国際調査報告】
2009512261.tif 000005
2009512261.tif 000006
2009512261.tif 000007
2009512261.tif 000008